(57)【要約】【課題】連結部材とパイプ材との結合部に合成樹脂フィルムからなるシート材が接触して破れてしまうことを防止可能であり、また、連結部材とパイプ材との連結状態を外側から容易に視認することが可能であり、さらに材料コストの上昇を抑えつつ強度を高めることが可能なビニルハウスに用いられる連結部材の提供。【解決手段】パイプ材１４と同じ外径を有する正面視アーチ状の外パイプ２と、外パイプ２の内側に配設された内パイプ３であり、外パイプ２の内径よりも小さな外径を有し、外パイプ２よりも長尺で外パイプ２の両端からそれぞれ外側に突出した内パイプ３とからなり、内パイプ３がパイプ材１４の内側に挿入されて外パイプ２がパイプ材１４の端面に接触した状態でパイプ材１４に結合される連結部材１である。【選択図】図２
2019088260.tif 000002
【特許請求の範囲】
【請求項１】
正面視アーチ状の骨組上に合成樹脂フィルムからなるシート材が張設されるビニルハウスであって、
前記骨組は、正面視アーチ状であり奥行き方向に所定間隔で複数配設される第１骨組部と、前記第１骨組部の頂点部の内側に沿って奥行き方向に延設される第２骨組部とを有し、
前記第１骨組部は、前記第２骨組部上に固定される連結部材と、前記連結部材の両端部に結合されるパイプ材とから構成され、
前記連結部材は、前記パイプ材と同じ外径を有する正面視アーチ状の外パイプと、前記外パイプの内側に配設された内パイプであり、前記外パイプの内径よりも小さな外径を有し、前記外パイプよりも長尺で前記外パイプの両端からそれぞれ外側に突出した内パイプとからなり、前記内パイプが前記パイプ材の内側に挿入されて前記外パイプが前記パイプ材の端面に接触した状態で前記パイプ材に結合されるものである
ことを特徴とするビニルハウス。
【請求項２】
正面視アーチ状であり奥行き方向に所定間隔で複数配設される第１骨組部と、前記第１骨組部の頂点部の内側に沿って奥行き方向に延設される第２骨組部とを有する骨組上に合成樹脂フィルムからなるシート材が張設されるビニルハウスにおいて、前記第２骨組部上に固定され、両端部にパイプ材が結合されることにより前記第１骨組部を構成する連結部材であって、
前記パイプ材と同じ外径を有する正面視アーチ状の外パイプと、前記外パイプの内側に配設された内パイプであり、前記外パイプの内径よりも小さな外径を有し、前記外パイプよりも長尺で前記外パイプの両端からそれぞれ外側に突出した内パイプとからなり、前記内パイプが前記パイプ材の内側に挿入されて前記外パイプが前記パイプ材の端面に接触した状態で前記パイプ材に結合される連結部材。
【発明の詳細な説明】
【技術分野】
【０００１】
本発明は、骨組上に合成樹脂フィルムからなるシート材が張設されるビニルハウスおよびこれに用いられる連結部材に関する。
【背景技術】
【０００２】
図４は従来のビニルハウスの頂点部における骨組の交差部を示す斜視図である。図４に示すように、従来のビニルハウスの骨組１００は、正面視アーチ状であり、奥行き方向に所定間隔で複数配設されるアーチ１０１と、アーチ１０１の内側に沿って奥行き方向に延設される複数の直線状のパイプ材１０２とを有する。
【０００３】
アーチ１０１は、ビニルハウスの頂点部に配置されるパイプ材１０２上に固定されるアーチ状の連結パイプ１０３と、この連結パイプ１０３の両端部に結合されるパイプ材１０４とから構成されている。アーチ１０１は、連結パイプ１０３の両端部にパイプ材１０４を挿入することで形成されている（例えば、特許文献１参照。）。
【先行技術文献】
【特許文献】
【０００４】
【特許文献１】特許第５２２１２２４号公報
【発明の概要】
【発明が解決しようとする課題】
【０００５】
ところが、上記従来のビニルハウスのアーチ１０１の連結パイプ１０３による連結構造では、連結パイプ１０３とパイプ材１０４との連結部分に必ず段差が形成されることになる。また、この連結部分はビニルハウスの頂点部にあるため、このアーチ１０１上に剛性フィルムからなるシート材が接触することになるが、このシート材が風や振動によりこの段差に接触して擦れてしまい、破れてしまうことがある。
【０００６】
また、このアーチ１０１は連結パイプ１０３の両端部にパイプ材１０４を挿入することで形成されるが、パイプ材１０４の先端部が連結パイプ１０３内のどの位置まで挿入されているかを外側から視認することができず、きちんと連結されているのかを確認することができないという問題がある。
【０００７】
また、近年、台風や積雪等に対してより強固なビニルハウスを構築するために、従来のパイプ材よりも強度が高い、いわゆるハイテンションパイプ材が用いられることが多くなってきている。しかし、パイプ材１０４本体の強度を高めても連結パイプ１０３部分が弱いと、そこに応力が集中してしまい、ハウス倒壊のリスクを避けることができなくなる。そこで、連結パイプ１０３の強度も高める必要があるが、連結パイプ１０３はパイプ材１０４よりも大径であるため、材料のコストが上昇してしまうことになる。
【０００８】
そこで、本発明においては、連結部材とパイプ材との結合部に合成樹脂フィルムからなるシート材が接触して破れてしまうことを防止可能であり、また、連結部材とパイプ材との連結状態を外側から容易に視認することが可能であり、さらに材料コストの上昇を抑えつつ強度を高めることが可能なビニルハウスおよびこれに用いられる連結部材を提供することを目的とする。
【課題を解決するための手段】
【０００９】
本発明のビニルハウスは、正面視アーチ状の骨組上に合成樹脂フィルムからなるシート材が張設されるビニルハウスであって、骨組は、正面視アーチ状であり奥行き方向に所定間隔で複数配設される第１骨組部と、第１骨組部の頂点部の内側に沿って奥行き方向に延設される第２骨組部とを有し、第１骨組部は、第２骨組部上に固定される連結部材と、連結部材の両端部に結合されるパイプ材とから構成され、連結部材は、パイプ材と同じ外径を有する正面視アーチ状の外パイプと、外パイプの内側に配設された内パイプであり、外パイプの内径よりも小さな外径を有し、外パイプよりも長尺で外パイプの両端からそれぞれ外側に突出した内パイプとからなり、内パイプがパイプ材の内側に挿入されて外パイプがパイプ材の端面に接触した状態でパイプ材に結合されるものであることを特徴とする。
【００１０】
また、本発明の連結部材は、正面視アーチ状であり奥行き方向に所定間隔で複数配設される第１骨組部と、第１骨組部の頂点部の内側に沿って奥行き方向に延設される第２骨組部とを有する骨組上に合成樹脂フィルムからなるシート材が張設されるビニルハウスにおいて、第２骨組部上に固定され、両端部にパイプ材が結合されることにより第１骨組部を構成する連結部材であって、パイプ材と同じ外径を有する正面視アーチ状の外パイプと、外パイプの内側に配設された内パイプであり、外パイプの内径よりも小さな外径を有し、外パイプよりも長尺で外パイプの両端からそれぞれ外側に突出した内パイプとからなり、内パイプがパイプ材の内側に挿入されて外パイプがパイプ材の端面に接触した状態でパイプ材に結合される連結部材である。
【００１１】
上記構成の連結部材を用いたビニルハウスでは、連結部材の内パイプがパイプ材の内側に挿入されて外パイプがパイプ材の端面に接触した状態でパイプ材に結合される。また、連結部材の外パイプの外径とパイプ材の外径とが同じであるため、連結部材の外周とパイプ材の外周とが面一となる。さらに、連結部材はパイプ材の外径と同じ外径の外パイプと、この外パイプよりも小さな外径の内パイプとの二重構造であるため、高強度となる。
【発明の効果】
【００１２】
本発明により、以下の効果を奏することができる。
【００１３】
（１）連結部材の内パイプがパイプ材の内側に挿入されて外パイプがパイプ材の端面に接触した状態でパイプ材に結合されるため、連結部材とパイプ材との連結状態を外側から容易に視認することが可能であり、ビニルハウスの骨組を確実に組み立てることが可能となる。
【００１４】
（２）連結部材の外パイプの外径とパイプ材の外径とが同じであるため、連結部材の外周とパイプ材の外周とが面一であり、かつ、連結部材の外パイプとパイプ材の端面とが接触しているため、連結部材とパイプ材との結合部に従来のような段差がなく、合成樹脂フィルムからなるシート材が接触して破れてしまうことを防止することができる。また、連結部材の外パイプの外径とパイプ材の外径とが同じであるため、連結部材およびパイプ材に取り付ける金具を共通化することが可能となる。
【００１５】
（３）連結部材はパイプ材の外径と同じ外径の外パイプと、この外パイプよりも小さな外径の内パイプとの二重構造であるため、連結部材を大径化することなく高強度化することができ、材料コストの上昇を抑えつつ強度を高めることが可能となる。
【図面の簡単な説明】
【００１６】
【図１】本発明の実施の形態における連結部材の斜視図である。
【図２】図１の連結部材にパイプ材を組み付ける様子を示す説明図である。
【図３】本発明の実施の形態におけるビニルハウスの骨組を示す斜視図である。
【図４】従来のビニルハウスの頂点部における骨組の交差部を示す斜視図である。
【発明を実施するための形態】
【００１７】
図１は本発明の実施の形態における連結部材の斜視図、図２は図１の連結部材にパイプ材を組み付ける様子を示す説明図、図３は本発明の実施の形態におけるビニルハウスの骨組を示す斜視図である。
【００１８】
図１に示す本実施形態における連結部材１は、図３に示すように、正面視アーチ状の骨組１０上に図示しない合成樹脂フィルムからなるシート材が張設されるビニルハウスに用いられる。骨組１０は、正面視アーチ状であり奥行き方向Ｚに所定間隔で複数配設される第１骨組部１１と、第１骨組部１１の頂点部の内側に沿って奥行き方向Ｚに延設される第２骨組部１２とを有する。また、骨組１０は、第１骨組部１１の頂点部から両下端部にかけて、第１骨組部１１の内側に適宜奥行き方向Ｚに延設される第３骨組部１３Ａ，１３Ｂ，１３Ｃ・・・を有する。
【００１９】
連結部材１は、パイプ材１４とともに第１骨組部１１を構成する。連結部材１は、第２骨組部１２上に固定される。パイプ材１４は、図２に示すように、連結部材１の両端部に結合される。連結部材１は、パイプ材１４と同じ外径を有する正面視アーチ状の外パイプ２と、外パイプ２の内側に配設された内パイプ３とから構成されている。パイプ材１４、外パイプ２および内パイプ３としては、例えば農芸用鋼管や一般構造用鋼管等の鋼管を用いることができる。
【００２０】
内パイプ３は、外パイプ２の内径よりも小さな外径を有する。例えば、パイプ材１４として一般的な規格品である外径２５．４ｍｍ、厚さ１．０〜１．２ｍｍ程度の鋼管を用いる場合、外パイプ２として一般的な規格品である外径２５．４ｍｍ、厚さ１．０〜１．２ｍｍ程度の鋼管を用い、内パイプ３として一般的な規格品である外径２２．２ｍｍの鋼管を用いることができる。また、パイプ材１４として一般的な規格品である外径２８．６ｍｍ、厚さ１．２〜１．４ｍｍ程度の鋼管を用いる場合、外パイプ２として一般的な規格品である外径２８．６ｍｍ、厚さ１．２〜１．４ｍｍ程度の鋼管を用い、内パイプ３として一般的な規格品である外径２５．４ｍｍの鋼管を用いることができる。また、パイプ材１４として一般的な規格品である外径３１．８ｍｍ、厚さ１．４〜２．０ｍｍ程度の鋼管を用いる場合、外パイプ２として一般的な規格品である外径３１．８ｍｍ、厚さ１．４〜２．０ｍｍ程度の鋼管を用い、内パイプ３として一般的な規格品である外径２８．６ｍｍまたは２７．２ｍｍの鋼管を用いることができる。
【００２１】
また、内パイプ３は外パイプ２よりも長尺で、外パイプ２の両端からそれぞれ外側に突出する長さとなっている。連結部材１は、直線状の外パイプ２内に、この外パイプ２よりも長い直線状の内パイプ３を差し込んだ状態で、アーチ状に曲げることによって形成される。
【００２２】
上記構成の連結部材１は、図２の左側に示すように内パイプ３がパイプ材１４の内側に挿入されて、図２の右側に示すように外パイプ２がパイプ材１４の端面に接触した状態でパイプ材１４に結合されて、図３に示す正面視アーチ状の第１骨組部１１を構成する。この第１骨組部１１は、骨組１０の頂点部の第２骨組部１２上に固定されて骨組１０を構成する。そして、この骨組１０上に合成樹脂フィルムからなるシート材１５（図２参照。）が張設されることによりビニルハウスが形成される。
【００２３】
上記連結部材１を用いたビニルハウスでは、連結部材１の内パイプ３がパイプ材１４の内側に挿入されて外パイプ２がパイプ材１４の端面に接触した状態でパイプ材１４に結合されるため、連結部材１とパイプ材１４との連結状態を外側から容易に視認することが可能であり、ビニルハウスの骨組１０を確実に組み立てることが可能である。また、内パイプ３の外パイプ２からの突出長さがパイプ材１４の内側に挿入される挿入長さとなるため、この長さを設定することで任意に設定して所望の挿入長さを確定することができる。
【００２４】
また、連結部材１の外パイプ２の外径とパイプ材１４の外径とが同じであるため、連結部材１の外周とパイプ材１４の外周とが面一となっており、かつ、連結部材１の外パイプ２とパイプ材１４の端面とが接触しているため、連結部材１とパイプ材１４との結合部１６（図２参照。）に従来のような段差がなく、合成樹脂フィルムからなるシート材１５が接触して破れてしまうことが防止される。また、連結部材１の外パイプ２の外径とパイプ材１４の外径とが同じであるため、連結部材１およびパイプ材１４に取り付ける金具を共通化することが可能となる。
【００２５】
また、この連結部材１はパイプ材１４の外径と同じ外径の外パイプ２と、この外パイプ２よりも小さな外径の内パイプ３との二重構造であるため、連結部材１を大径化することなく高強度化することができ、材料コストの上昇を抑えつつ強度を高めることが可能となっている。
【産業上の利用可能性】
【００２６】
本発明のビニルハウスおよびこれに用いられる連結金具は、骨組上に合成樹脂フィルムからなるシート材が張設される農業用等のビニルハウスに有用である。
【符号の説明】
【００２７】
１  連結部材
２  外パイプ
３  内パイプ
１０  骨組
１１  第１骨組部
１２  第２骨組部
１３Ａ，１３Ｂ，１３Ｃ・・・  第３骨組部
１４  パイプ材
１５  シート材
１６  結合部
【図１】
2019088260.tif 000003
【図２】
2019088260.tif 000004
【図３】
2019088260.tif 000005
【図４】
2019088260.tif 000006